(57)【特許請求の範囲】
【請求項１】
電話回線を用いてファクシミリ通信が可能なＦＡＸ通信手段と、インターネットを用いて通信可能なインターネット通信手段と、前記ＦＡＸ通信手段でファクシミリ受信時に通信手順中の非標準フレームにより複数に分割されたＨＤＬＣフレームで指定された受信先及び中継経路に基づいて前記インターネット通信手段に受信した画像を転送させる制御手段を有することを特徴とするインターネットファクシミリ装置。
【請求項２】
前記制御手段は、ファクシミリ通信手順中の非標準フレームにより複数の受信先と１ないし複数の中継経路を取得し、取得したそれぞれの中継経路に対して１ないし複数の受信先を指定して受信した画像を前記インターネット通信手段に転送させることを特徴とする請求項１に記載のインターネットファクシミリ装置。
【請求項３】
前記制御手段は、ファクシミリ通信手順中の非標準フレームにより指定された受信先に対応する中継経路よりも前記受信先に近い中継経路に関する情報を保持している場合には、保持している前記受信先に近い中継経路に基づいて前記インターネット通信手段に受信した画像を転送させることを特徴とする請求項１または請求項２に記載のインターネットファクシミリ装置。
【請求項４】
前記制御手段は、ファクシミリ通信手順中に受け取った情報を用いて送信元の認証を行うことを特徴とする請求項１ないし請求項３のいずれか１項に記載のインターネットファクシミリ装置。
【発明の詳細な説明】
【０００１】
【発明の属する技術分野】
本発明は、公衆回線や専用線等の電話回線などを通じて送信元のファクシミリ装置とファクシミリ手順で通信可能であるとともに、インターネットを介して通信が可能なインターネットファクシミリ装置に関するものである。
【０００２】
【従来の技術】
近年、電話回線などを用いてファクシミリ通信により画像の送受信が可能であるとともに、インターネットを用いて画像の送受信が可能なインターネットファクシミリ装置が開発されている。このようなインターネットファクシミリ装置をゲートウェイとして利用して、通信経路の一部としてインターネットを用いて画像の通信を行うことができる。
【０００３】
図４は、インターネットを用いてファクシミリ通信を行うシステムの一例の説明図である。図中、１１，１７はファクシミリ装置、１２，１６は電話回線、１３，１５はインターネットファクシミリ装置、１４はインターネットである。例えばファクシミリ装置１１からインターネット１４を介してファクシミリ装置１７へ画像を送信する場合を考える。この場合、送信元のファクシミリ装置１１は、電話回線１２によりインターネットファクシミリ装置１３と接続し、受信先となるファクシミリ装置１７の電話番号と、ファクシミリ装置１７に至る通信経路となるインターネットファクシミリ装置のインターネット上のアドレス（ＩＰアドレス、あるいは、メールアドレスやドメイン名など）を指定し、画像を送信する。
【０００４】
インターネットファクシミリ装置１３は、送信元のファクシミリ装置１１から受け取った画像に受信先となるファクシミリ装置１７の電話番号を付して、インターネットファクシミリ装置１５へ電子メールとしてインターネット１４を介して送信する。インターネットファクシミリ装置１５では、画像が含まれている電子メールを受け取り、付加されている受信先のファクシミリ装置１７の電話番号を用い、電話回線１６を介してファクシミリ装置１７と通信を行い、画像をファクシミリ送信する。このようにして、送信元のファクシミリ装置１１から受信先のファクシミリ装置１７へ画像を送信することができる。
【０００５】
このように通信経路の途中でインターネット１４を用いることによって、電話回線の使用による課金は送信元のファクシミリ装置１１からインターネットファクシミリ装置１３までの間と、インターネットファクシミリ装置１５から受信先のファクシミリ装置１７までの間となり、これらの間が近ければ通話料金は安くて済む。また、インターネット１４の利用は距離に関わらず一定料金となるため、送信元のファクシミリ装置１１と受信先のファクシミリ装置１７とが離れている場合には、インターネット１４を利用することによって通信料金を節約することができる場合がある。
【０００６】
ここで、インターネットファクシミリ装置１５から受信先のファクシミリ装置１７への画像の送信は通常のファクシミリ通信によって行えばよい。しかし送信元のファクシミリ装置１１からインターネットファクシミリ装置１３へ画像を送信する際には、受信先のファクシミリ装置１７の電話番号やインターネットファクシミリ装置１５のアドレスなどを指示する必要がある。従来、これらの情報の送信を行う方法として、バイナリファイル転送モードのデータとして送信する方法が考えられている。
【０００７】
バイナリファイル転送モードでデータを転送する場合、画像の送信時と同様にトレーニングシーケンスによって決定された伝送速度によりデータ転送が行われる。従って、通常は、手順信号を通信している際の伝送速度よりも高速にデータを転送することができる。しかし、伝送速度が高速になるとエラー率も高くなる。画像では、訂正できないビット誤りが発生しても、そのために欠落する情報は画像中の数ライン程度であり、実質的に問題が発生しない場合が多い。しかし、受信先となるファクシミリ装置１７の電話番号やインターネットファクシミリ装置１５のアドレスなどの情報の場合、訂正できないビット誤りが発生した場合、その復旧は不可能である。エラーが発生した場合、ＥＣＭなどによる再送を行ったり、トレーニングをやり直して伝送速度を再設定することも行われるが、そのための手順に時間がかかり、高速にデータ転送を行っても全体としての通信時間が長くなるという問題があった。
【０００８】
また、バイナリファイル転送モードから通常の画像を転送するモードに切り替えるためにフェーズＢに戻って手順信号のやりとりを行わなければならず、そのための通信時間が必要となり、やはり全体としての通信時間が長くなるという問題があった。
【０００９】
【発明が解決しようとする課題】
本発明は、上述した事情に鑑みてなされたもので、外部のファクシミリ装置から送られてくる画像の受信先及び中継経路の情報を確実に受信できるとともに、結果的に全体の通信時間も短縮可能なインターネットファクシミリ装置を提供することを目的とするものである。
【００１０】
【課題を解決するための手段】
本発明は、インターネットファクシミリ装置において、電話回線を用いてファクシミリ通信が可能なＦＡＸ通信手段と、インターネットを用いて通信可能なインターネット通信手段と、前記ＦＡＸ通信手段でファクシミリ受信時に通信手順中の非標準フレームにより複数に分割されたＨＤＬＣフレームで指定された受信先及び中継経路に基づいて前記インターネット通信手段に受信した画像を転送させる制御手段を有することを特徴とするものである。このように、画像の受信先及び中継経路の情報をファクシミリ受信時における通信手順中の非標準フレームで複数に分割されたＨＤＬＣフレームにより受信するので、確実に受信することができる。たとえ幾つかを取りこぼしたとしても、正常に受信できた分だけの受信先及び中継経路を取得することができる。従って従来のバイナリファイル転送モードを用いて受信先や中継経路の情報を受信する場合に比べてエラー発生時に再送信や通信速度の再設定などに要する時間が不要となり、またバイナリファイル転送モードから通常の画像の転送モードに切り替えるための時間も不要となり、全体として高速に通信を行うことができる。
【００１１】
なお、非標準フレームによって受け取る受信先及び中継経路の情報はそれぞれ１つに限られるものではなく、複数の受信先及び１ないし複数の中継経路を取得してもよい。この場合、取得したそれぞれの中継経路に対して１ないし複数の受信先を指定して、受信した画像をインターネット通信手段から転送すればよい。これによって、同じ画像を複数の受信先に送信する同報通信を行うことができる。
【００１２】
また、制御手段が受信先のファクシミリ装置に近い中継経路を保持している場合、ファクシミリ通信手順中の非標準フレームにより指定された受信先に対応する中継経路よりも、保持している中継経路の方が受信先に近い場合には、保持している中継経路に基づいて受信した画像を転送するように構成することができる。これによって、転送先のインターネットファクシミリ装置から受信先のファクシミリ装置への通信コストを低減することができる。
【００１３】
さらに、上述のようにインターネットを用いて画像を転送する場合には、ファクシミリ通信手順中に受け取った情報を用いて送信元の認証を行うように構成することが可能である。これによって、例えば登録していない第３者からの利用を制限することができる。
【００１４】
【発明の実施の形態】
図１は、本発明のインターネットファクシミリ装置の実施の一形態を含むシステムの一例を示すブロック図である。図中、図４と同様の部分には同じ符号を付してある。２１はＦＡＸ通信部、２２は制御部、２３はインターネット通信部である。インターネットファクシミリ装置１３，１５は、電話回線１２，１６を利用したファクシミリ通信が可能であるとともに、インターネット１４を利用した通信が可能である。少なくともインターネットファクシミリ装置１３は本発明のインターネットファクシミリ装置である。もちろん、インターネットファクシミリ装置１５についても、本発明のインターネットファクシミリ装置であってよい。また、ファクシミリ装置１１，１７は、電話回線１２，１６を利用してファクシミリ通信が可能なファクシミリ装置である。
【００１５】
インターネットファクシミリ装置１３は、ＦＡＸ通信部２１、制御部２２、インターネット通信部２３を有している。ＦＡＸ通信部２１は、電話回線１２を用いて他のファクシミリ装置、例えばファクシミリ装置１１との通信が可能である。またインターネット通信部２３は、インターネット１４を用いて他のインターネット機器との通信が可能であり、例えばネットワークファクシミリ装置１５に対してＳＭＴＰ（Ｓｉｍｐｌｅ  Ｍａｉｌ  Ｔｒａｎｓｆｅｒ  Ｐｒｏｔｏｃｏｌ）により、電子メールのデータ転送等を行うことができる。
【００１６】
さらにインターネットファクシミリ装置１３の制御部２２は、装置全体を制御するとともに、ＦＡＸ通信部２１を介したファクシミリ通信や、インターネット通信部２３を介した電子メールの授受などを行う。また、両者の機能を利用して、ファクシミリ通信によって受信した画像を電子メールなどにより他のインターネットファクシミリ装置に転送することができる。さらに、他のインターネットファクシミリ装置から転送されてきた電子メール中の画像をファクシミリ通信によりファクシミリ装置に転送する機能を有していてもよい。
【００１７】
このようにファクシミリ通信によって受信した画像を電子メールなどにより他のインターネットファクシミリ装置に転送し、さらに他のインターネットファクシミリ装置が別のファクシミリ装置に対して画像をファクシミリ送信することによって、中間にインターネット１４を利用したファクシミリ通信を実現することができる。例えばファクシミリ装置１１からファクシミリ受信した画像をインターネットファクシミリ装置１５に転送し、インターネットファクシミリ装置１５からファクシミリ装置１７に画像をファクシミリ送信することによって、ファクシミリ装置１１からファクシミリ装置１７への画像の転送を実現することができる。
【００１８】
このとき、インターネットファクシミリ装置１３は、送信元のファクシミリ装置１１から受信先となるファクシミリ装置１７の電話番号などの受信先に関する情報と、受信先に至るまでの中継経路に関する情報を取得する必要がある。そのために本発明では、制御部２２がＦＡＸ通信部２１を介してファクシミリ装置１１とファクシミリ通信を行う際の通信手順の中で、特に非標準フレームによって受信先や中継経路に関する情報を取得する。このように非標準フレームを用いることによって、受信先や中継経路に関する情報を確実に取得することができる。なお、通信手順中の非標準フレームで受け取る受信先や中継経路に関する情報は１つずつに限らず、例えば同じ中継経路で複数の受信先を取得したり、あるいは、複数の受信先と複数の中継経路を取得してもよい。これによってインターネットを用いた同報通信を実現することができる。
【００１９】
そして、取得した受信先や中継経路に関する情報に基づいて、受信した画像をインターネット通信部２３からインターネット１４を通じて他のインターネットファクシミリ装置に転送する。例えば取得した中継経路の情報から画像を転送すべきインターネットファクシミリ装置を特定し、その特定したインターネットファクシミリ装置に対して、受信先に関する情報を付して画像を電子メールとして送信する。なお、複数の中継経路が取得されたときには、それぞれの中継経路に対して画像を電子メールとして送信することになる。また、１つの中継経路に対して複数の受信先が指定されている場合には、その複数の受信先の情報を付して画像を中継経路のインターネットファクシミリ装置へ電子メールとして転送すればよい。これによって転送する電子メールの数を減らし、インターネットのトラフィック量を削減することができる。
【００２０】
さらにインターネットファクシミリ装置１３は、特定の受信先と、その受信先に最も近い中継経路となるインターネットファクシミリ装置とを対応づけて保持しておくことができる。制御部２２は、ファクシミリ通信手順中の非標準フレームにより指定された受信先に対応する中継経路よりも、その受信先に近い中継経路に関する情報を保持している場合には、その保持している受信先に近い中継経路の情報を用いて、受信した画像を電子メールなどによって転送するように構成することができる。これによって、転送先のインターネットファクシミリ装置における通信費用を削減することができる。もちろん、受け取った中継経路の情報を優先したり、中継経路の変更を禁止する情報を用いたときには受け取った中継経路の情報を必ず用いるといったような構成も可能である。
【００２１】
なお、第３者のファクシミリ装置からのファクシミリ受信によってインターネットへの転送機能が無制限に利用されないように、インターネットへの転送機能を利用する際には、送信元のファクシミリ装置の認証を行うとよい。例えば非標準（ＮＳＳ）フレームやＳＵＢフレームなどによってユーザＩＤなどを受信し、認証を行うことができる。
【００２２】
次に、本発明のインターネットファクシミリ装置の実施の一形態における動作の一例について説明する。ここでは一例として、ファクシミリ装置１１がインターネットファクシミリ装置１３に対してインターネットファクシミリ装置１５を中継経路としてファクシミリ装置１７へ画像を送るものとして説明する。図２は、ファクシミリ装置１１とインターネットファクシミリ装置１３の間の通信手順の概略を示すシーケンス図である。ファクシミリ装置１１はインターネット１４を利用してファクシミリ装置１７へ画像を送信する際には、まず電話回線１２を用いてインターネットファクシミリ装置１３に対して発呼し、（１）においてファクシミリ装置１１はインターネットファクシミリ装置１３に対してＣＮＧを送る。
【００２３】
インターネットファクシミリ装置１３は、ファクシミリ装置１１からの着信を受け、ＣＮＧを検出すると（２）においてＣＥＤを返す。それとともに、（３）において、インターネットファクシミリ装置１３を示す情報をＣＳＩとして送信するとともに、インターネットファクシミリ装置１３が有する受信能力に関する情報をＤＩＳやＮＳＦによってファクシミリ装置１１に伝える。このとき、非標準の能力を宣言するＮＳＦによって、インターネット１４を利用した中継機能を有していること、及び、非標準フレームによって受信先及び中継経路の情報を受け取る能力を有していることを宣言する。
【００２４】
ファクシミリ装置１１は、インターネットファクシミリ装置１３からＤＩＳやＮＳＳなどによって受信能力に関する情報を受け取ると、受け取った情報を参照することによって、特にＮＳＳから、インターネットファクシミリ装置１３がインターネット１４を利用した中継機能を有していること、および、非標準フレームによって受信先及び中継経路の情報を受け取る能力を有していることを知る。そして、インターネットファクシミリ装置１３の受信能力の範囲内で送信時のパラメータを決定し、（４）においてＤＣＳを送信する。また、送信元の情報などをＴＳＩとしてインターネットファクシミリ装置１３に対して送信する。さらに非標準の機能を設定するためのＮＳＳをインターネットファクシミリ装置１３に送信し、インターネット１４を介して画像の転送を依頼するとともに、インターネットファクシミリ装置１５を中継経路としてファクシミリ装置１７に画像を転送するように、インターネットファクシミリ装置１５のインターネット上のアドレス（ドメイン名あるいはメールアドレスなど）とファクシミリ装置１７の電話番号を指定する。
【００２５】
図３は、ＮＳＳにおいて受信先及び中継経路を指定する際のＨＤＬＣフレームの一例の説明図である。一般にファクシミリ手順で用いられるＨＤＬＣフレームの最初と最後には所定のフラグシーケンス（ｆｌａｇ）が付されており、最初のフラグシーケンスに続いて固定データのアドレスフィールド（Ａｄｄｒｅｓｓ）が続く。さらに、当該フレームが最終か否かの情報を含む制御フィールド（Ｃｏｎｔｒｏｌ）が設けられ、その後にファクシミリ制御フィールド（ＦＣＦ）及びファクシミリ情報フィールドからなるＨＤＬＣ情報フィールド、さらに当該ＨＤＬＣフレームのチェックを行うためのフレームチェックシーケンス（ＦＣＳ）が続く。この中でファクシミリ情報フィールドにはどのような情報を格納してもよく、この場合には最終の受信先となるファクシミリ装置１７の電話番号と、中継経路となるインターネットファクシミリ装置１５のインターネット１４上のアドレスを格納する。
【００２６】
ファクシミリ情報フィールドに格納する情報のフォーマットは任意であるが、図３（Ａ）に示す例では“ＦＡＸ＝０７７４ｘｘ１２３４＠ｉｆａｘ．ｃｏｍ”という文字列を格納している。このうち、“０７７４ｘｘ１２３４”が最終の受信先となるファクシミリ装置１７の電話番号の部分であり、“ｉｆａｘ．ｃｏｍ”がインターネットファクシミリ装置１５のドメイン名を示している。なお、この例ではインターネットファクシミリ装置１５はメールサーバとして電子メールを受け取ることができるものとしている。
【００２７】
インターネットファクシミリ装置１５がクライアント型の装置である場合には、例えば図３（Ｂ）に示すように、最終の受信先となるファクシミリ装置１７の電話番号とインターネットファクシミリ装置１５の電子メールアドレスを所定の区切りコード（この例では‘／’）を挟んで併記すればよい。
【００２８】
図３（Ｃ）に示す例では、最終の受信先となるファクシミリ装置が複数存在する場合の一例を示している。この例では図３（Ａ）に示す書式によってそれぞれの最終の受信先となるファクシミリ装置の電話番号と、対応する中継経路となるインターネットファクシミリ装置との組を、所定の区切りコード（この例ではＮＵＬＬ）によって区切って複数記述している。
【００２９】
図３（Ｄ）に示す例では、１つの中継経路となるインターネットファクシミリ装置に対して複数のファクシミリ装置への送信を依頼する場合の例を示しており、この例では複数のファクシミリ装置の電話番号を‘［’及び‘］’によって囲んで示している。
【００３０】
なお、これらの書式を適宜組み合わせることによって、種々の指定が可能となる。もちろん、インターネットファクシミリ装置自身を指定することも可能である。また、図３（Ｃ）、（Ｄ）に示すように最終の受信先となるファクシミリ装置や中継経路が多くなり、ＨＤＬＣフレーム長が長くなる場合には、複数のＨＤＬＣフレームに分割して送信してもよい。このように複数のＨＤＬＣフレームを受信する際に、幾つかを取りこぼすことも考えられる。その場合にはＣＲＰ信号により、ファクシミリ装置１１に再送を促すか、あるいは正常に受信できた分だけの受信先及び中継経路を取得してもよい。また、インターネットファクシミリ装置１３は、（３）におけるＮＳＦやＤＩＳなどの送出の際に、指定可能な中継経路となるインターネットファクシミリ装置や受信先の最大数などを指定しておき、その範囲内でファクシミリ装置１１が中継経路や受信先を指定するように構成してもよい。
【００３１】
図２に戻り、ＤＣＳ、ＴＳＩ、ＮＳＳをファクシミリ装置１１からインターネットファクシミリ装置１３が受信し、ファクシミリ装置１１がインターネット１４を利用した画像の転送を要求している場合、インターネットファクシミリ装置１３はファクシミリ装置１１の認証を行うことができる。認証は、例えばＮＳＳフレームによって上述の受信先及び中継経路の指定とともにユーザＩＤ等を受け取って行うことができる。あるいは、ＴＳＩ中の情報やＳＵＢによって認証のために必要となる情報、例えばユーザＩＤなどを受け取り、ＰＷＤによってパスワードの照合を行ってもよい。もちろん、他の方法でも良い。認証を行うことによって、インターネット１４を利用したファクシミリ通信が第３者により無制限に利用されるのを防止することができる。
【００３２】
このようにしてファクシミリ装置１１とインターネットファクシミリ装置１３との間の機能設定が終了したら、（５）においてＴＣＦによってモデムのトレーニングを行って通信速度を決定する。トレーニングが終了したら、（６）においてインターネットファクシミリ装置１３はファクシミリ装置１１に対してＣＦＲを送出し、受信準備が完了したことを伝える。そして、（７）において、ファクシミリ装置１１はインターネットファクシミリ装置１３に対して画像を送信する。画像が複数ページ存在する場合にはＭＰＳを送信後、次のページの画像を送信し、最終頁の画像の送信後にＥＯＰを送出する。この例では（７）における画像送信後に（８）においてＥＯＰを送出している。インターネットファクシミリ装置１３は、ＥＯＰに対する応答として（９）においてＭＣＦを返す。ファクシミリ装置１１は、ＭＣＦ受信後、通信を終了するため（１０）においてＤＣＮを送出し、回線を切断する。インターネットファクシミリ装置１３においてもＤＣＮを受信し、回線を切断する。
【００３３】
このようにして、ファクシミリ装置１１は、ファクシミリ装置１７が最終の受信先であること、及び、インターネットファクシミリ装置１５を中継経路とすることを指示した上で、インターネットファクシミリ装置１３に対して画像を送信することができる。またインターネットファクシミリ装置１３では、上述のようなファクシミリ装置１１との通信手順中、非標準の機能設定を行うＮＳＳフレームによって指定された中継経路及び受信先に関する情報と、転送する画像を受信することができる。
【００３４】
ファクシミリ装置１３は、上述のようにして取得した中継経路となるインターネットファクシミリ装置１５に対して、最終の受信先であるファクシミリ装置１７の電話番号を指定して、受信した画像を電子メールとして転送する。例えば取得した中継経路及び受信先の情報が図３（Ａ）に示すようなものである場合、指示された“０７７４ｘｘ１２３４＠ｉｆａｘ．ｃｏｍ”を電子メールアドレスとして、受信した画像を含む電子メールを送信すればよい。これによって、ドメイン名“ｉｆａｘ．ｃｏｍ”を有するインターネットファクシミリ装置１５に電子メールが届くことになる。
【００３５】
なお、ファクシミリ装置１１から複数の中継経路となるインターネットファクシミリ装置が指定されている場合には、それぞれのインターネットファクシミリ装置に対して電子メールを送信することになる。
【００３６】
また、インターネットファクシミリ装置１３が受信先であるファクシミリ装置１１に最も近いインターネットファクシミリ装置の情報を保持している場合、ファクシミリ装置１１から受け取った中継経路となるインターネットファクシミリ装置１５と比較する。そして、保持しているインターネットファクシミリ装置の方がファクシミリ装置１７に近い場合には、そのインターネットファクシミリ装置を中継経路とし、画像を転送する。もちろん、ファクシミリ装置１１から取得した中継経路を優先したり、いずれを優先するかをファクシミリ装置１１から指定可能に構成してもよい。
【００３７】
インターネットファクシミリ装置１５では、受け取った電子メールのユーザ名の部分を取り出し、電話回線１６に対してダイヤルして発呼し、ファクシミリ装置１７と回線を接続する。そしてファクシミリ手順に従って受け取った電子メール中の画像をファクシミリ装置１７に対してファクシミリ送信する。このようにして、ファクシミリ装置１１から送信された画像がインターネット１４を経由してファクシミリ装置１７に届くことになる。
【００３８】
インターネットファクシミリ装置１５がクライアント型の装置である場合には、別に設けられているメールサーバから電子メールを取り出し、あるいはインターネットファクシミリ装置１５宛の電子メールの転送を受けることになる。そして、受け取った電子メールに含まれている受信先の電話番号を取り出して電話回線１６に対してダイヤルして発呼し、ファクシミリ装置１７に対して画像をファクシミリ送信すればよい。
【００３９】
【発明の効果】
以上の説明から明らかなように、本発明によれば、電話回線等を介して受信した画像をインターネットを介して転送する際に必要となる中継経路や受信先の情報を、ファクシミリ通信手順中の非標準フレームにより受け取るので、これらの情報を確実に受け取ることが可能になるという効果がある。
【図面の簡単な説明】
【図１】本発明のインターネットファクシミリ装置の実施の一形態を含むシステムの一例を示すブロック図である。
【図２】ファクシミリ装置１１とインターネットファクシミリ装置１３の間の通信手順の概略を示すシーケンス図である。
【図３】ＮＳＳにおいて受信先及び中継経路を指定する際のＨＤＬＣフレームの一例の説明図である。
【図４】インターネットを用いてファクシミリ通信を行うシステムの一例の説明図である。
【符号の説明】
１１，１７…ファクシミリ装置、１２，１６…電話回線、１３，１５…インターネットファクシミリ装置、１４…インターネット、２１…ＦＡＸ通信部、２２…制御部、２３…インターネット通信部。
【図１】
0003622681.tif 000002
【図２】
0003622681.tif 000003
【図３】
0003622681.tif 000004
【図４】
0003622681.tif 000005